(57)【要約】【課題】車両用スピードメータの文字盤に使用される基材を半透過性基材にすることで、白インキ層を形成する必要がなくなり、半透過性基材の不透明度および膜厚を制御することで、光透過性および拡散性の制御を高い精度で行うことができる情報表示パネルを提供する事を課題とする。【解決手段】不透明度が５０％以上９５％以下で、膜厚が３００μｍ以上５００μｍ以下である半透過性基材と、前記半透過性基材の一方の面上に、印刷法によりインキで所定の模様を形成した加飾層と、前記半透過性基材の他方の面の一部に遮光性を有するインキにより形成された絵柄層と、を備え、前記加飾層の前記模様は、二種類以上の印刷版により印刷されたものであることを特徴とする情報表示パネル。【選択図】図１
2010250312.tif 000002
【特許請求の範囲】
【請求項１】
不透明度が５０％以上９５％以下で、膜厚が３００μｍ以上５００μｍ以下である半透過性基材と、
前記半透過性基材の一方の面上に、印刷法によりインキで所定の模様を形成した加飾層と、
前記半透過性基材の他方の面の一部に遮光性を有するインキにより形成された絵柄層と、
を備え、
前記加飾層の前記模様は、二種類以上の印刷版により印刷されたものであることを特徴とする情報表示パネル。
【請求項２】
前記印刷法がスクリーン印刷で行われることを特徴とする請求項１に記載の情報表示パネル。
【請求項３】
前記加飾層において、二種類以上の印刷版により印刷された模様がいずれも同心円形のパターンからなり、前記同心円形のパターンの線幅が、前記二種類以上の印刷版でそれぞれ異なることを特徴とする請求項１または２のいずれかに記載の情報表示パネル。
【請求項４】
前記半透過性基材は発泡ポリプロピレンであることを特徴とする請求項１〜３のいずれかに記載の情報表示パネル。
【発明の詳細な説明】
【技術分野】
【０００１】
本発明は、半透過性基材を備える情報表示パネルに関し、特に半透過性基材に発泡ポリプロピレンを用い、発泡ポリプロピレンの一方の面上に加飾層を形成することで美観性を有する情報表示パネルに関する。
【背景技術】
【０００２】
従来から、車両用スピードメータなどの文字盤の文字や数字や図形などは、基材上に印刷によって形成されることが多く、特に、スクリーン印刷が多用されている。ところが、近年、高級指向や商品の多様化が進むにつれて、これらの文字および数字などの画像に高級感を付与し、装飾性や視認性を向上させる検討が進められている。（特許文献１参照）
【０００３】
車両用スピードメータなどの文字盤に使用される基材は、光透過性および光拡散性の両方を兼ね備えているのが好ましい。基材が光透過性を有していると、バックライトの光を十分に透過させることができるので、基材上に施されたスクリーン印刷による遮光性を利用して、形成された文字や図形などを明るく表示することができる。また基材が拡散性を有していると光源からの光は拡散されるので、観察者は、直射光としてではなく拡散光として目視することになる。従って、文字や図形などを美しく観察することができる。
【０００４】
従来から使用されている車両用スピードメータの文字盤の基材は、バックライトの光を十分に透過させることを考慮して透明基材が主に用いられている。光拡散性は、樹脂成型物からなる拡散パーツで制御されている。また透明基材上のほぼ全面に色を有したインキからなる隠蔽性の高いインキ層が形成されており、このインキ層は、インキ層上に模様等を施す印刷を行うために必要であり、また光透過性を制御する役割がある。
【先行技術文献】
【特許文献】
【０００５】
【特許文献１】特願平４−２３６８７８
【発明の概要】
【発明が解決しようとする課題】
【０００６】
しかし、インキ層によって光透過性を正確に制御するのは困難である。また、拡散パーツを車両用スピードメータに組み込むことで、光拡散性は向上するが、車両用スピードメータとして高価になってしまうという問題点がある。本発明は、車両用スピードメータの文字盤に使用される基材を半透過性基材にすることで、基材が透明基材の場合には必要であった色インキ層を形成する必要がなくなり、半透過性基材の不透明度および膜厚を制御することで、光透過性および拡散性の制御を高い精度で行うことができる優れた視認性と美観性を備える情報表示パネルを提供することを課題とする。
【課題を解決するための手段】
【０００７】
この発明は、上記課題を解決するために次のような構成を備えている。
請求項１に記載の発明は、不透明度が５０％以上９５％以下で、膜厚が３００μｍ以上５００μｍ以下である半透過性基材と、
前記半透過性基材の一方の面上に、印刷法によりインキで所定の模様を形成した加飾層と、
前記半透過性基材の他方の面の一部に遮光性を有するインキにより形成された絵柄層と、
を備え、
前記加飾層の前記模様は、二種類以上の印刷版により印刷されたものであることを特徴とする情報表示パネル、である。
【０００８】
請求項１に記載の発明によれば、バックライトの光が十分に透過して、基材上に形成した文字や図形等が明るく美しく表示することができる効果が生じる。
【０００９】
請求項２に記載の発明は、前記印刷法がスクリーン印刷で行われることを特徴とする請求項１に記載の情報表示パネル、である。
【００１０】
請求項２に記載の発明によれば、印刷法がスクリーン印刷で行われるためインキ層の層厚を大きくすることが出来るため立体感が得られる効果が生じる。
【００１１】
請求項３に記載の発明は、前記加飾層において、二種類以上の印刷版により印刷された模様がいずれも同心円形のパターンからなり、前記同心円形のパターンの線幅が、前記二種類以上の印刷版でそれぞれ異なることを特徴とする請求項１または２のいずれかに記載の情報表示パネル、である。
【００１２】
請求項３に記載の発明によれば、同心円形のパターンの線幅を、印刷版ごとに異なる線幅にすることができるので、部分的にパターンが重なって擬似的な立体感が得られる効果が生じる。
【００１３】
請求項４に記載の発明は、前記半透過性基材は発泡ポリプロピレンであることを特徴とする請求項１〜３のいずれかに記載の情報表示パネルである。
【００１４】
請求項４記載の解決手段によれば、発泡ポリプロピレンを用いることで、インキ層上に印刷するより、発泡ポリプロピレン上に印刷した方が印刷適正を向上することができるので、文字や図形等を美しく印刷することができ、破棄燃焼時の環境負荷が小さい効果が生じる。
【発明の効果】
【００１５】
本発明は、車両用スピードメータに使用される基材を半透過性基材にすることで、基材が透明基材の場合には必要であった色インキ層を形成する必要がなくなり、半透過性基材の不透明度および膜厚を制御することで、光透過性および拡散性の制御を高い精度で行うことができる優れた視認性と美観性を備える情報表示パネルを提供できる効果が生じる。
【図面の簡単な説明】
【００１６】
【図１】本発明の情報表示パネルの、一実施形態の断面図である。
【図２】本発明の情報表示パネルにおいて、（ａ）インキ層２−１のパターンの一例、（ｂ）インキ層２−２のパターンの一例、（ｃ）２−１と２−２のパターンを重ね合わせたもの。
【発明を実施するための形態】
【００１７】
以下に図面を参照して、本発明に係る情報表示パネルの好適な実施の形態について詳細に説明する。図１は、本発明の情報表示パネルの、断面図を示したものである。
本発明の情報表示パネルは、半透過性基材１の一方の面上に加飾層２を形成し、半透過基材１の他方の面上に絵柄層３を形成したものである。加飾層２はインキ層２−１とインキ層２−２から構成されている。
半透過性基材１については特に限定することはなく、一般的な半透過性基材１を使用することができる。
【００１８】
本実施形態において、半透過性基材１は板厚４００μｍの発泡ポリプロピレン（商品名ＲＭＭ４００；株式会社ユポ・コーポレーション）を用いた。この発泡ポリプロピレンは、不透明度が７７％、白色度が９０％である。
【００１９】
不透明度とは、半透過性基材１の他方の面側に形成した絵柄層３が見えない程度を表す数値である。数値が高いほど光を透過させないことになる。ＪＩＳＰ８１３８規格で定められた物性測定方法に則って、不透明度として算出される。
膜厚４００μｍの半透過性基材１で、不透明度を０％〜１００％とした場合の絵柄層３の透け具合を、表１に示している。透けにくいほうが、観察者から絵柄層３をより見えなくすることができるので、好ましい。
【００２０】
【表１】
2010250312.tif 000003
【００２１】
表１より、本発明に用いる半透過性基材１の不透明度は５０％以上、９５％以下が好ましいことがわかった。不透明度が５０％未満になると、透明度が高くなりすぎて絵柄層３が透けてしまい、意図した模様または色あい等が表現できなくなる。また、不透明度が９５％より大きくなると、透明度が低くなりすぎて光源からの光を透過しにくくなり、文字または図形等を明るく表示することができなくなる。
【００２２】
白色度とは、パルプおよび紙などの表面色の白さの程度を示す指標である。白色度の測定は、ＪＩＳＰ８１４８規格で定められた物性測定方法に則って、白色度として算出される。１００％で真っ白になり、数値が大きくなるほど白くなる。本発明に用いる半透過性基材１の白色度は８０％以上が好ましい。白色度８０％未満だと、従来技術の文字盤の透明基材上に設けていた白インキと同じ役割を果たさなくなってしまう。
【００２３】
また、半透過性基材１の膜厚が薄すぎると絵柄層３が透けて見えてしまい、また膜厚が厚すぎると光の透過性が弱くなってしまうことになる。絵柄層３については後述するが、遮光性を有するインクの層の有無で所定のパターンを形成した層である。インクの層を形成した部分は光が透過せず、インクの層を形成していない部分を光が透過することによって、数字および文字等の絵柄を表現することが可能となる。
【００２４】
ここで、半透過性基材１の板厚を４００μｍに採用したのは、表１から得た半透過性基材１の他方の面側に形成されている絵柄層３の絵柄となる部分の光の透過程度および半透過性基材１の光透過程度を考慮したためである。
【００２５】
【表２】
2010250312.tif 000004
【００２６】
表２は、１，０００ｃｄ／ｍ２のＬＥＤ光源４から３ｃｍの距離に置いた拡散板の上に、絵柄層３が拡散板と接するように半透過性基材１を置きＬＥＤ光源４を点灯させ、見栄えを確認した結果をまとめたものである。
【００２７】
ここで、絵柄となる部分の光の透過程度について説明する。
絵柄となる部分の光の透過程度とは、光源が点灯時に、半透過性基材１の一方の側から目視をした場合に、絵柄層３の絵柄となる部分の光の透過程度を表したものである。絵柄層３のインキの層が形成されている部分は、光が透過しないほうが好ましい。
【００２８】
次に、半透過性基材１の光透過程度について説明する。
光透過程度とは、光源が点灯時に、半透過性基材１の一方の側から目視をした場合に、インキが存在していない、数字や文字等の箇所から光が透過する程度を表したものである。光が透過したほうが数字や文字等が明るく表示することができる。
本発明に用いる半透過性基材１の膜厚は３００μｍ以上かつ５００μｍ以下が好ましい。
【００２９】
加飾層２について説明する。
加飾層２とは、模様等を形成しているインキ層のことである。インキ層のインキとしては、印刷に用いられる一般的なインキを使用することができる。
インキ層を形成する方法として、凸版印刷、フレキソ印刷、オフセット印刷、スクリーン印刷、グラビア印刷、インクジェット等が利用できるが、インキ層の層厚によって美観性に与える影響が変わってくるため、最も層厚を大きくできるスクリーン印刷がより好ましい。
インキ層により形成される模様としては、スピン模様、葉脈模様、エンボス模様、マット模様およびグロス模様等が挙げられる。
【００３０】
本発明では、加飾層２は、複数のインキ層による複数の模様から構成されている。それぞれのインキ層の模様は互いに異なったパターンであってもよく、それぞれ所定のパターンを有する印刷版により印刷されるものである。また、先に印刷されるインキ層の上に、その後に印刷されるインキ層が重なる箇所があるようなパターンであってもよいし、それぞれのインキ層が重なる箇所が全くないようなパターンであってもよい。
【００３１】
スピン模様とは同心円状の研磨模様を数多く付けたものであり、一本一本の円曲線を描くパターンの線を細線と呼ぶ。加飾層２の模様としてスピン模様を形成する場合に、１層だけのインキ層で形成しようとすると、１つの印刷版におけるパターンの線幅の範囲はあまり大きくすることができないという制限があるため、インキ層の模様の細線の線幅には大きな変化をつけることができず、美観性に乏しいものとなってしまう。擬似的な立体感を得るためにはスピン模様の細線の線幅が１μｍから１ｍｍの範囲の間で、２０μｍ以上変化する必要があるため、二種類以上の印刷版を用いて、二層以上のインキ層によりスピン模様を形成することが好ましい。
【００３２】
本実施形態では、半透過性基材１である発泡ポリプロピレンの一方の面上に、スクリーン印刷でインキ層２−１、インキ層２−２の順に形成した。
インキ層２−１は半透過性基材１の上にスクリーン印刷用インキ（RL-A厚盛メジウム；十条ケミカル株式会社製）を用いてスクリーン印刷で形成した。印刷膜厚を０．０２ｍｍ以上にすることでパターン印刷したインキに立体感を得ることが出来る。
【００３３】
インキ層２−２は上記半透過性基材１およびインキ層２−１上にスクリーン印刷用インキ（RL-A厚盛メジウム；十条ケミカル株式会社製）を用いてスクリーン印刷で形成した。印刷膜厚を０．０２ｍｍ以上にすることでパターン印刷したインキに立体感を得ることが出来る。
【００３４】
図２（ａ）（ｂ）に示した一例のように、インキ層２−１およびインキ層２−２は細線の太さが異なったものとしてもよい。例えば、インキ層２−１は線幅０．０３ｍｍ以上、かつ０．３ｍｍ未満で構成されており、インキ層２−２は線幅０．３ｍｍ以上で構成されている。インキ層２−１およびインキ層２−２は線幅の範囲が変動してもかまわず、２層に分けることで、細い線から太い線まで表現することが出来るため、スクリーン印刷での表現の幅を広げることが出来る。図２（ａ）（ｂ）のパターンを重ねて印刷したものを図２（ｃ）に示す。
【００３５】
インキ層２−１およびインキ層２−２は透明性のあるインキを使用しているため、線幅の違う加飾層を重ねてあることにより、より立体感のある意匠性の高い情報表示パネルを作製することが出来る。
【００３６】
インキ層２−１の上にインキ層２−２を積層することで、細線が重なる部分と重ならない部分が存在し、インキ層２−１、インキ層２−２ともに葉脈模様を使うことによって皮革のような表現を得ることができる。
インキ層を二層積層することで、美しい表現ができる例として、透明マット層の上に透明グロス層を積層することで立体感のある表現をすることができる。また、色インキ層の上にラメ模様のインキ層を積層することで、ラメ模様に色がついたような美しい表現をすることができる。
【００３７】
絵柄層３は、上述の加飾層２と同様のインキ、形成方法を用いることができる。
絵柄層３は、半透過性基材１の他方の面上に形成され、インキ層が形成されている箇所と形成されていない箇所が存在している。形成されている箇所は、ＬＥＤ光源４の光を遮光することができる。形成されていない箇所は光を透過することになる。形成されていない箇所の形状を文字および図形等にすることで、光が透過する文字および図形等を表現することができる。
【００３８】
本発明では、絵柄層３は、半透過性基材１である発泡ポリプロピレンの他方の面上に、スクリーン印刷用インキ（レイキュアーPP 4900；十条ケミカル株式会社製）を用いてスクリーン印刷で形成した。
【００３９】
半透過性基材１の他方側にＬＥＤ光源４を配置してある。
ＬＥＤ光源４が非点灯の場合、発泡ポリプロピレン上に美しい加飾層２を表現することができるので、美しい模様等が観察することができた。
ＬＥＤ光源４が点灯の場合、光透過性および光拡散性が正確に制御され、文字および図形等が明るく表示されているのが確認できた。
【符号の説明】
【００４０】
１・・・半透過性基材
２・・・加飾層
２−１・・・第一のインキ層
２−２・・・第二のインキ層
３・・・絵柄層
４・・・ＬＥＤ光源
５・・・目視方向
６・・・情報表示パネル
【図２】
2010250312.tif 000005
【図１】
2010250312.tif 000006